(57)【特許請求の範囲】
【請求項１】
異極間で高さが異なり、電源側と負荷側が極毎に同じ高さとなる段差構造の電源側と負荷側の各端子部を被覆する開閉器の端子カバーであって、
端子カバー本体が開閉器に取付けたとき開閉器よりも開閉器の長手方向に突出する長さを備え、端子カバー本体の長さ方向の中心の両側に、開閉器への取付部をそれぞれ設けたことを特徴とする開閉器の端子カバー。
【請求項２】
端子カバー本体は、開閉器の端子部の左右を覆う側面部を備え、前記取付部は側面部を挟んで対称位置に形成されたことを特徴とする請求項１に記載の開閉器の端子カバー。
【請求項３】
端子カバー本体は、開閉器の端子部の左右を覆う側面部を備え、開閉器の端子間に形成された隔壁に当接させるガイド部を前記側面部間に形成したものである請求項１または請求項２に記載の開閉器の端子カバー。
【発明の詳細な説明】
【技術分野】
【０００１】
本発明は、開閉器の端子部に取付けられる開閉器の端子カバーに関するものである。
【背景技術】
【０００２】
開閉器の端子部には、感電事故等を防止するための合成樹脂製の端子カバーが取付けられている。開閉器の端子部の左右各極が同一高さの場合には、電源側の端子カバーを１８０度回転させて負荷側にも取付けることができる。
【０００３】
しかし特許文献１に示されるように、開閉器の端子部が左右で段差を持たせた段違い構造である場合には、それに合わせて形成された端子カバーを１８０度回転させても反対側に取付けることができない。何故ならば開閉器の同一極は電源側でも負荷側でも同じ高さとなっているため、電源側から見て左側が高い場合には、負荷側から見ると右側が高くなる。これに対して電源側から見て左側が高い端子カバーは、１８０度回転させて負荷側から見ても左側が高いままであり、負荷側に取付け不能となるからである。
【０００４】
なお図１に示すように、開閉器の端子部が左右で段差を持たせた段違い構造である場合であっても、電源側と負荷側との間で端子カバーを平行移動させて取付け可能なこともある。しかし感電防止効果を高めるために、端子カバーを長くしてその端面を開閉器の端子部の端面よりも突出させた場合には、平行移動させると突出部分が反対側では邪魔になるため、やはり取付け不能となる。このため開閉器の端子部が段違い構造である場合には、電源側の端子カバーと負荷側の端子カバーを別個に製造しなければならず、金型代を含む製造コストが高くなっていた。
【先行技術文献】
【特許文献】
【０００５】
【特許文献１】特開２００２−３２４４７２号公報
【発明の概要】
【発明が解決しようとする課題】
【０００６】
従って本発明の目的は上記した従来の問題点を解決し、段違い構造の開閉器の電源側と負荷側にも取付け可能であり、しかも端面を開閉器の端子部の端面よりも突出させて感電防止効果を高めた端子カバーを提供することである。
【課題を解決するための手段】
【０００７】
上記の課題を解決するためになされた本発明は、異極間で高さが異なり、電源側と負荷側が極毎に同じ高さとなる段差構造の電源側と負荷側の各端子部を被覆する開閉器の端子カバーであって、端子カバー本体が開閉器に取付けたとき開閉器よりも開閉器の長手方向に突出する長さを備え、端子カバー本体の長さ方向の中心の両側に、開閉器への取付部をそれぞれ設けたことを特徴とするものである。
【０００８】
なお請求項２のように、端子カバー本体は、開閉器の端子部の左右を覆う側面部を備え、前記取付部は側面部を挟んで対称位置に形成された構造とすることができる。また請求項３のように、端子カバー本体は、開閉器の端子部の左右を覆う側面部を備え、開閉器の端子間に形成された隔壁に当接させるガイド部を前記側面部間に形成した構造とすることができる。
【発明の効果】
【０００９】
本発明の端子カバーは、端子カバー本体が開閉器に取付けたとき開閉器よりも開閉器の長手方向に突出する長さを備え、端子カバー本体の長さ方向の中心の両側に開閉器への取付部をそれぞれ設けたものであるから、開閉器の端子部の接触保護が可能となるうえ、端子カバーの方向性をなくし、電源側端子と負荷側端子の両側に取付けが可能となる。このため部品の共通化を図ることができ、製造コストを引き下げることができる。また請求項３のようにガイド部を形成すれば、取付け位置まで端子カバーをガイドさせることができ、取付け作業性が向上する。
【図面の簡単な説明】
【００１０】
【図１】従来の端子カバーの一例を示す斜視図である。
【図２】本発明の端子カバーが取付けられる開閉器を示す斜視図である。
【図３】実施形態を示す斜視図である。
【図４】実施形態を示す背面斜視図である。
【図５】端子カバーの斜視図である。
【図６】端子カバーを倒立させた斜視図である。
【図７】端子カバーの取付状態を示す断面図である。
【発明を実施するための形態】
【００１１】
以下に本発明の実施形態を説明する。
先ず図２に、本発明の端子カバーが取付けられる開閉器１を示す。この開閉器１は配線用遮断器であり、電源側と負荷側にそれぞれ端子部２を備えている。各端子部２は異極間で高さが異なり、かつ電源側と負荷側が極毎に同じ高さとなる段差構造となっている。１００Ｖ使用の場合には上側を感電のおそれのないＮ極とし、下側をＬ１またはＬ２極とするのが一般的である。この場合、Ｎ極は電源側でも負荷側でも高い移置にある。
【００１２】
図３と図４に開閉器１の端子部２に端子カバーを取付けた状態を示す。これらの図に示されるように、端子カバー本体３は開閉器１の端子部２に取付けたとき、端子部２の端面４よりも開閉器１の長手方向に突出する長さを備えている。これによって図１に示した従来構造よりも感電防止効果を高めている。
【００１３】
端子カバー本体３は図５、図６に示すように上面部５と、その左右端縁から垂直下方に垂下する側面部６、７を備えている。上面部５の左右幅は端子部２の幅と同一であり、開閉器１の長手方向の長さは端子部２の端面４よりも突出する長さである。側面部６は図３に示すように端子部２の上側極の側面をカバーする略Ｔ字形状となっており、他方の側面部７は図４に示すように端子部２の下側極の側面をカバーする四角形状となっている。側面部７は上面部５の端縁の長さに等しい。開閉器１の端子部２の左右を覆う側面部６、７は、隣接して接続される導電部である電線の圧着端子１６の側方向を覆う位置まで形成することが好ましい。また左右の側面部６、７の中央部には、端子部２の極間隔壁８の開閉器１の長手方向端部に位置させる中央面部９が形成されている。
【００１４】
図５、図６に示されるように、側面部６と中央面部９との間には、４枚の垂下片１０が形成されており、その下端部には開閉器１への取付部１１が突設されている。これらの取付部１１は突起であり、図２に示した端子部２の上側極の隔壁１２及び極間隔壁８に形成された凹部１３に嵌合されることにより、端子カバーを端子部２に保持させるものである。従って垂下片１０、１０の左右方向の幅は、上側極の隔壁１２及び極間隔壁８の間に密着させて挿入できる幅としておく。
【００１５】
また端子カバー本体３は、図５に示す中心線Ａ−Ａを挟んで対称形状であり、垂下片１０、１０も開閉器１の長手方向の対称位置に配置されている。換言すれば垂下片１０、１０及びその先端の取付部１１は側面部６を挟んで対称位置に形成されている。このため開閉器１の長手方向の片側の左右一対の取付部１１、１１を利用して、図３あるいは図４に示すように、電源側の端子部２にも、負荷側の端子部２にも取付けることができる。
【００１６】
図６、図７に示すように、中央面部９の両側（開閉器１の長手方向の両側）には、ガイド部１４が形成されている。ガイド部１４は端子カバー本体３を端子部２に取付けるときに端子部２の極間隔壁８に当接して端子カバー本体３の姿勢を安定させ、取付けを容易にする役割を持つ。
【００１７】
このように構成された本発明の端子カバーは、開閉器１の端子部２に上方から差し込むようにして取付けられるものであり、図７に示すように垂下片１０の取付部１１が上側極の隔壁１２及び極間隔壁８に形成された凹部１３に嵌合され、安定に保持される。ガイド部１４は極間隔壁８の凹部１３に対して反対側の側面に沿った状態で、端子カバーをガイドする。
【００１８】
取付完了状態においては、側面部６が端子部２の上側極の側面をカバーし、他方の側面部７は端子部２の下側極の側面をカバーする。しかも端子カバー本体３の上面部５やその左右端縁から垂直下方に垂下する側面部６は端子部の端面４よりも開閉器１の長手方向に大きく突出しているため、端子部２への接触が防止され安全性に優れる。また、中央面部９が、端子部２の極間隔壁８の開閉器１の長手方向端部に形成されているので、端子部間で導電部が短絡するのを防ぐことができる。
【００１９】
しかも本発明の端子カバーは前記した中心線Ａ−Ａに関して対称形状であり、両側に取付部１１を形成したものであるから、端子部２が段違い構造である場合にも、平行移動させることによって電源側の端子部２と負荷側の端子部２の両方に取付けが可能となる。このため部品の共通化を図ることができる。
【００２０】
上記した実施形態では側面部６を上側極の隔壁１２、側面部７を下側極の隔壁１５と同一平面上に位置させたが、同一平面上に位置させなくてもよい。
【符号の説明】
【００２１】
１  開閉器
２  端子部
３  端子カバー本体
４  端面
５  上面部
６  側面部
７  側面部
８  極間隔壁
９  中央面部
１０  垂下片
１１  取付部
１２  上側極の隔壁
１３  凹部
１４  ガイド部
１５  下側極の隔壁
１６  圧着端子
【図１】
0006355524.tif 000002
【図２】
0006355524.tif 000003
【図３】
0006355524.tif 000004
【図４】
0006355524.tif 000005
【図５】
0006355524.tif 000006
【図６】
0006355524.tif 000007
【図７】
0006355524.tif 000008